【手続補正書】
【提出日】平成25年8月22日(2013.8.22)
【手続補正１】
【補正対象書類名】明細書
【補正対象項目名】００１１
【補正方法】変更
【補正の内容】
【００１１】
本発明に係る印刷システムは以下の構成を備える。すなわち、カラーインクと透明インクとを印刷媒体に塗布する印刷装置と前記印刷装置を制御する印刷制御装置とを含む印刷システムであって、
前記印刷制御装置は、
前記透明インクの塗布領域が異なる複数の透明インク塗布モードから１つの透明インク塗布モードをユーザに選択させる選択手段と、
前記選択手段により選択された第１の透明インク塗布モードによる透明インクの塗布が、設定されている第１の印刷設定のもと実行不可であると予め決定されているか否かを判定する判定手段と、
前記判定手段が、前記選択手段により選択された第１の透明インク塗布モードによる透明インクの塗布が、設定されている第１の印刷設定のもと実行不可であると予め決定されていると判定した場合、前記選択された第１の透明インク塗布モードを変更せずに予め設定されている前記第１の印刷設定とは異なり、前記第１の透明インク塗布モードによる透明インクの塗布が可能な第２の印刷設定を表示装置に表示する表示手段と、
前記設定されている第１の印刷設定を前記表示手段で表示された第２の印刷設定に変更する変更手段と、
を有し、
前記印刷装置は、
前記変更手段により変更された第２の印刷設定のもと、前記第１の透明インク塗布モードに従って前記透明インクを前記印刷媒体のインク塗布領域に塗布し、前記印刷設定で前記印刷媒体に印刷を行う印刷手段、
を有する。
【手続補正２】
【補正対象書類名】特許請求の範囲
【補正対象項目名】全文
【補正方法】変更
【補正の内容】
【特許請求の範囲】
【請求項１】
カラーインクと透明インクとを印刷媒体に塗布する印刷装置と前記印刷装置を制御する印刷制御装置とを含む印刷システムであって、
前記印刷制御装置は、
前記透明インクの塗布領域が異なる複数の透明インク塗布モードから１つの透明インク塗布モードをユーザに選択させる選択手段と、
前記選択手段により選択された第１の透明インク塗布モードによる透明インクの塗布が、設定されている第１の印刷設定のもと実行不可であると予め決定されているか否かを判定する判定手段と、
前記判定手段が、前記選択手段により選択された第１の透明インク塗布モードによる透明インクの塗布が、設定されている第１の印刷設定のもと実行不可であると予め決定されていると判定した場合、前記選択された第１の透明インク塗布モードを変更せずに予め設定されている前記第１の印刷設定とは異なり、前記第１の透明インク塗布モードによる透明インクの塗布が可能な第２の印刷設定を表示装置に表示する表示手段と、
前記設定されている第１の印刷設定を前記表示手段で表示された第２の印刷設定に変更する変更手段と、
を有し、
前記印刷装置は、
前記変更手段により変更された第２の印刷設定のもと、前記第１の透明インク塗布モードに従って前記透明インクを前記印刷媒体のインク塗布領域に塗布し、前記印刷設定で前記印刷媒体に印刷を行う印刷手段、
を有する
ことを特徴とする印刷システム。
【請求項２】
前記複数の透明インク塗布モードは、少なくとも、前記印刷媒体上にカラーインクで印字される領域を判定することなく、前記印刷媒体の有効印字領域全体に前記透明インクを塗布する全面塗布モードと、前記印刷媒体上に前記カラーインクが塗布されない領域である白点を除く部分に前記透明インクを塗布する部分塗布モードとを含むことを特徴とする請求項１に記載の印刷システム。
【請求項３】
前記部分塗布モードは、前記透明インクを塗布する部分のうち、画素濃度がある一定の値以下の濃度レベルまで前記透明インクの塗布量を当該濃度レベルに応じて増やしていくモードであることを特徴とする請求項２に記載の印刷システム。
【請求項４】
前記全面塗布モードは、画素濃度がある一定の値以下の濃度レベルの場合、他の濃度レベルの領域よりも前記透明インクの塗布量を多くするモードであることを特徴とする請求項２に記載の印刷システム。
【請求項５】
前記部分塗布モードは、前記印刷媒体の種類により前記印刷媒体の白点を除く部分にも前記透明インクを塗布しないモードを含むモードであることを特徴とする請求項２に記載の印刷システム。
【請求項６】
前記透明インクは顔料インクであることを特徴とする請求項１に記載の印刷システム。
【請求項７】
カラーインクと透明インクとを印刷媒体に塗布する印刷装置と接続し、前記印刷装置を制御する印刷制御装置であって、
前記透明インクの塗布領域が異なる複数の透明インク塗布モードから１つの透明インク塗布モードをユーザに選択させる選択手段と、
前記選択手段により選択された第１の透明インク塗布モードによる透明インクの塗布が、設定されている第１の印刷設定のもと実行不可であると予め決定されているか否かを判定する判定手段と、
前記判定手段が、前記選択手段により選択された第１の透明インク塗布モードによる透明インクの塗布が、設定されている第１の印刷設定のもと実行不可であると予め決定されていると判定した場合、前記選択された第１の透明インク塗布モードを変更せずに予め設定されている前記第１の印刷設定とは異なり、前記第１の透明インク塗布モードによる透明インクの塗布が可能な第２の印刷設定に変更させるべく表示装置に該第２の印刷設定を表示する表示手段と、
を有することを特徴とする印刷制御装置。
【請求項８】
前記予め設定されている第１の印刷設定を、前記表示手段に表示された第２の印刷設定に変更する変更手段を更に有し、
前記変更手段により変更された第２の印刷設定を用いて前記印刷装置による印刷を制御する
ことを特徴とする請求項７に記載の印刷制御装置。
【請求項９】
前記透明インクは顔料インクであることを特徴とする請求項７に記載の印刷制御装置。
【請求項１０】
カラーインクと透明インクとを印刷媒体に塗布する印刷装置と接続し、前記印刷装置を制御する印刷制御装置の制御方法であって、
前記透明インクの塗布領域が異なる複数の透明インク塗布モードから１つの透明インク塗布モードをユーザに選択させる選択工程と、
前記選択工程により選択された第１の透明インク塗布モードによる透明インクの塗布が、設定されている第１の印刷設定のもと実行不可であると予め決定されているか否かを判定する判定工程と、
前記判定工程が、前記選択工程により選択された第１の透明インク塗布モードによる透明インクの塗布が、設定されている第１の印刷設定のもと実行不可であると予め決定されていると判定した場合、前記選択された第１の透明インク塗布モードを変更せずに予め設定されている前記第１の印刷設定とは異なり、前記第１の透明インク塗布モードによる透明インクの塗布が可能な第２の印刷設定に変更させるべく表示装置に該第２の印刷設定を表示する表示工程と、
を有することを特徴とする印刷制御装置の制御方法。
【請求項１１】
カラーインクと透明インクを印刷媒体に塗布にする印刷装置を制御する印刷制御装置であって、
前記透明インクの塗布方法が異なる複数の透明インク塗布モードから１つの透明インク塗布モードを選択する選択手段と、
前記選択された透明インク塗布モードにより印刷を行うように前記印刷装置を制御する制御手段と、
を有し、
前記複数の透明インク塗布モードは、
前記印刷媒体の有効印字領域全体に前記透明インクを塗布する第１の透明インク塗布モードと、
前記記録媒体の前記カラーインクが塗布されない領域に前記透明インクを塗布する第２の透明インク塗布モードと、
予め作成された前記透明インクを塗布する領域を指定するためのフォームで指定される領域以外に透明インクを塗布する第３の透明インク塗布モードと、
を少なくとも含む
ことを特徴とする印刷制御装置。
【請求項１２】
前記第１の透明インク塗布モードは、画素濃度が閾値以下の濃度レベルの場合、他の濃度レベルの領域よりも前記透明インクの塗布量を多くするモードであることを特徴とする請求項１１に記載の印刷制御装置。
【請求項１３】
前記第２の透明インク塗布モードは、前記透明インクを塗布する部分のうち、画素濃度が閾値以下の濃度レベルまで前記透明インクの塗布量を当該濃度レベルに応じて増やすモードであることを特徴とする請求項１１に記載の印刷制御装置。
【請求項１４】
コンピュータを、請求項７又は１１に記載の印刷制御装置の各手段として機能させるためのプログラム。